(57)【要約】【課題】  カテ室内で実施された医療行為のデータを容易且つ正確に記録することができるカテ室管理システムを提供する。【解決手段】  医療行為を複数の項目に区分し、各項目に含まれる複数の医療行為の候補項目のデータを、各項目毎にツリー構造で記憶する記憶部６と、画面に表示された項目をタッチして選択すると各々の項目に含まれるツリー構造の候補項目の最上位のものを表示し、以下表示された候補項目をタッチして選択すると順次下位の候補項目を表示する候補データ表示機能と、候補データ表示機能が表示したツリー構造の最下位の候補項目をタッチして選択すると、タッチした項目のデータにタイムスタンプを付加して記憶部に記憶する医療行為データ取得機能と、記憶部に記憶した一纏まりの医療行為の結果データを、付与された時間データの順序で画面に表示する結果データ表示機能と、を有する。【選択図】    図２
2005115495.tif 000002
【特許請求の範囲】
【請求項１】
患者がカテ室に入ってから出るまでの間に、前記カテ室内で行なわれる医療行為のデータ及び前記カテ室内で使用される薬剤や医療材料のデータを記録するカテ室管理システムであって、
前記医療行為を複数の項目に区分し、前記各項目に含まれる複数の医療行為の候補項目のデータを、各項目毎にツリー構造で記憶する記憶手段と、
前記複数の項目を画面に表示し、画面に表示された前記項目をタッチして選択すると各々の項目に含まれるツリー構造の前記候補項目の最上位のものを表示し、以下表示された前記候補項目をタッチして選択すると順次下位の前記候補項目を表示する候補データ表示手段と、
前記候補データ表示手段が表示したツリー構造の最下位の前記候補項目をタッチして選択すると、少なくとも最下位の前記候補項目のデータを含むデータに年月日の時間データを付加して一纏まりの医療行為の結果データとして前記記憶手段に記憶する医療行為データ取得手段と、
前記記憶手段に記憶した一纏まりの医療行為の結果データを、付与された時間データの順序で画面に表示する結果データ表示手段と、
を具備することを特徴とするカテ室管理システム。
【請求項２】
患者がカテ室に入ってから出るまでの間に、前記カテ室内で行なわれる医療行為のデータ及び前記カテ室内で使用される薬剤や医療材料のデータを記録するカテ室管理システムであって、
前記医療行為を、検査や治療を行なうために必要となる準備の項目と、患者の状態を調べる検査の項目と、患者の悪い部分を治す治療の項目と、検査や治療を行なった後に行う後処置の項目とに区分し、前記準備の項目に含まれる複数の医療行為の候補項目のデータと、前記検査の項目に含まれる複数の医療行為の候補項目のデータと、前記治療の項目に含まれる複数の医療行為の候補項目のデータと、前記後処置の項目に含まれる複数の医療行為の候補項目のデータとを、各項目毎にツリー構造で記憶する記憶手段と、
前記準備、前記検査、前記治療及び前記後処置の各項目を画面に表示し、画面に表示された前記項目をタッチして選択すると各々の項目に含まれるツリー構造の前記候補項目の最上位のものを表示し、以下表示された前記候補項目をタッチして選択すると順次下位の前記候補項目を表示する主候補データ表示手段と、
前記主候補データ表示手段が表示したツリー構造の最下位の前記候補項目をタッチして選択すると、少なくとも最下位の前記候補項目のデータを含むデータに年月日の時間データを付加して一纏まりの主医療行為の結果データとして前記記憶手段に記憶する主医療行為データ取得手段と、
前記記憶手段に記憶した一纏まりの主医療行為の結果データを、付与された時間データの順序で画面に表示する結果データ表示手段と、
を具備することを特徴とするカテ室管理システム。
【請求項３】
前記医療行為をさらに、医師が診た患者の状況である症状の項目と、緊急に行なわれる緊急セットの項目と、医師の見解である所見の項目とに区分し、
前記記憶手段は、症状の項目に含まれる複数の医療行為の候補項目のデータと、緊急セットの項目に含まれる複数の医療行為の候補項目のデータと、所見の項目に含まれる複数の医療行為の候補項目のデータとを、各項目毎にツリー構造で記憶し、
前記症状、前記緊急セット及び前記所見の各項目を画面に表示し、画面に表示された前記項目をタッチして選択すると各々の項目に含まれるツリー構造の前記候補項目の最上位のものを表示し、以下表示された前記候補項目をタッチして選択すると順次下位の前記候補項目を表示する副候補データ表示手段と、
前記副候補データ表示手段が表示したツリー構造の最下位の前記候補項目をタッチして選択すると、少なくとも最下位の前記候補項目のデータを含むデータに年月日の時間データを付加して一纏まりの副医療行為の結果データとして前記記憶手段に記憶する副医療行為データ取得手段と、を具備し、
前記結果データ表示手段は、前記記憶手段に記憶した一纏まりの副医療行為の結果データも、付与された時間データの順序で画面に表示することを特徴とする請求項２記載のカテ室管理システム。
【請求項４】
医療行為をさらに、患者の状態を測定して得たデータを入力するためのバイタルの項目とＥＣＧの項目とを含む項目に区分し、前記バイタルの項目と前記ＥＣＧの項目を含む項目を画面に表示する測定項目表示手段と、
前記測定項目表示手段により画面に表示された前記項目をタッチして選択すると、各々の項目毎に測定結果をタッチして入力するための入力画面を表示する測定データ入力表示手段と、
前記測定データ入力表示手段により表示された入力画面を用いて入力された測定データに年月日の時間データを付加して一纏まりの測定結果データとして前記記憶手段に記憶する測定データ取得手段と、を具備し、
前記結果データ表示手段は、前記測定データ記憶手段によって前記記憶手段に記憶された前記測定結果データも、付与された時間データの順序で画面に表示することを特徴とする請求項２又は３記載のカテ室管理システム。
【請求項５】
患者がカテ室に入ってから出るまでの間に、前記カテ室内で行なわれる医療行為のデータ及び前記カテ室内で使用される薬剤や医療材料のデータを記録するカテ室管理システムであって、
前記カテ室内で使用された薬剤や医療材料に表示されている識別情報を読み取る読取手段と、
前記読取手段で読み取った識別情報と記憶手段に記憶する薬剤や医療材料のデータに基づいて前記カテ室内で使用された薬剤や医療材料のデータに年月日の時間データを付加して各薬剤や医療材料毎に一纏まりの第１使用データとして前記記憶手段に記憶する第１使用データ取得手段と、
前記記憶手段に記憶した薬剤や医療材料毎の一纏まりの第１使用データを、付与された時間データの順序で画面に表示する使用データ表示手段と、
を具備することを特徴とするカテ室管理システム。
【請求項６】
前記医療材料のうちの生物由来製品については、識別情報としてＥＡＮ１２８バーコードを用いたことを特徴とする請求項５記載のカテ室管理システム。
【請求項７】
前記記憶手段は、ロット管理が不要な薬剤や医療材料の名称のデータを、前記薬剤や前記医療材料を使用する前記医療行為に関する前記候補項目のデータと同じ階層或いはその候補項目の下位のデータと共に記憶し、
前記主候補データ表示手段は、前記医療行為に関する前記候補項目を画面に表示するときに、同一の階層に含まれる前記薬剤や前記医療材料の名称を同時に画面に表示し、
前記画面に表示された前記医薬や前記医療材料の名称をタッチして選択すると、各々の名称毎に使用した前記医薬や医療材料の使用量をタッチして選択入力するための入力画面を表示する使用データ入力表示手段と、
前記使用データ入力表示手段により表示された入力画面を用いて入力された使用量のデータと、対応する前記医薬又は前記医療材料の名称のデータとを含むデータに年月日の時間データを付加して一纏まりの第２使用データとして前記記憶手段に記憶する第２使用データ取得手段と、を具備し、
前記使用データ表示手段は前記第２使用データ取得手段によって前記記憶手段に記憶された前記第２使用データも、付与された時間データの順序で画面に表示することを特徴とする請求項２又は３記載のカテ室管理システム。
【請求項８】
依頼伝票、患者のカルテ、患者本人確認の項目を含むチェック項目を画面に表示し、これらの全ての項目をタッチしてチェックしたときに、前記カテ室への入室を許可する旨の表示を画面に表示する入室チェック手段を具備することを特徴とする請求項２、３、４、５、６又は７記載のカテ室管理システム。
【請求項９】
前記カテ室内で医療行為を受ける患者のカルテのデータ等の患者基本データを他のシステムのコンピュータから取り込む患者基本データ取込手段と、取り込んだ前記患者基本データを含むデータを画面に表示する患者データ表示手段と、を具備することを特徴とする請求項２、３、４、５，６、７又は８記載のカテ室管理システム。
【請求項１０】
前記画面に後処理の項目と確定の項目を表示する後処理表示手段と、
前記後処理の項目を画面上でタッチして選択すると、前記画面に表示している時間データを含めた全ての取得したデータの修正を可能とし、前記確定の項目を画面上でタッチして選択すると、その後は取得したデータを確定状態とし、取得したデータの変更を不可能とする全取得データ修正手段と、
を具備することを特徴とする請求項２、３、４、５、６、７、８又は９記載のカテ室管理システム。
【請求項１１】
前記記憶手段に前記各項目毎にツリー構造で記憶されている候補項目のデータを表形式のデータに変換して画面に表示する表形式データ表示手段と、
前記画面に表示された前記表形式のデータの文言を修正・削除・追加するための記録文言編集・登録機能と、
前記記録文言編集・登録機能によって、修正・削除・追加された後の表形式のデータを、前記ツリー構造のデータに変更して前記記憶手段に記憶する木構造データ生成手段と、
を具備することを特徴とする請求項２又は３記載のカテ室管理システム。
【請求項１２】
前記各項目毎にツリー構造で前記記憶手段に記憶されている候補項目のデータを、術式別或いは患者の検査や治療を担当する施行医毎に区別して記憶することを特徴とする請求項２又は３記載のカテ室管理システム。
【請求項１３】
主候補データ表示手段によって表示される画面を表示する第１表示手段と、結果データ表示手段によって表示される画面を表示する第２表示手段とを備えることを特徴とする請求項２又は３記載のカテ室管理システム。
【請求項１４】
患者がカテ室に入ってから出るまでの間に、前記カテ室内で行なわれる医療行為のデータ及び前記カテ室内で使用される薬剤や医療材料のデータを記録するカテ室管理システムであって、
前記医療行為を複数の項目に区分し、前記各項目に含まれる複数の医療行為の候補項目のデータを、各項目毎にツリー構造で記憶する記憶手段と、
前記複数の項目を画面に表示し、画面に表示された前記項目をタッチして選択すると各々の項目に含まれるツリー構造の前記候補項目の最上位のものを表示し、以下表示された前記候補項目をタッチして選択すると順次下位の前記候補項目を表示する候補データ表示手段と、
前記候補データ表示手段が表示したツリー構造の最下位の前記候補項目をタッチして選択すると、少なくとも最下位の前記候補項目のデータを含むデータに年月日の時間データを付加して一纏まりの医療行為の結果データとして前記記憶手段に記憶する医療行為データ取得手段と、
前記記憶手段に記憶した一纏まりの医療行為の結果データを、付与された時間データの順序で画面に表示する結果データ表示手段と、
前記カテ室内で使用された薬剤や医療材料に表示されている識別情報を読み取る読取手段と、
前記読取手段で読み取った識別情報と前記記憶手段に記憶する薬剤や医療材料のデータに基づいて前記カテ室内で使用された薬剤や医療材料のデータに年月日の時間データを付加して各薬剤や医療材料毎に一纏まりの第１使用データとして前記記憶手段に記憶する第１使用データ取得手段と、
前記記憶手段に記憶した薬剤や医療材料毎の一纏まりの第１使用データを、付与された時間データの順序で画面に表示する使用データ表示手段と、
を具備することを特徴とするカテ室管理システム。
【請求項１５】
患者がカテ室に入ってから出るまでの間に、前記カテ室内で行なわれる医療行為のデータ及び前記カテ室内で使用される薬剤や医療材料のデータを記録するカテ室管理方法であって、
前記医療行為を複数の項目に区分し、前記各項目に含まれる複数の医療行為の候補項目のデータを、各項目毎にツリー構造で記憶手段に記憶する記憶工程と、
前記複数の項目を画面に表示し、画面に表示された前記項目をタッチして選択すると各々の項目に含まれるツリー構造の前記候補項目の最上位のものを表示し、以下表示された前記候補項目をタッチして選択すると順次下位の前記候補項目を表示する候補データ表示工程と、
前記候補データ表示工程で表示したツリー構造の最下位の前記候補項目をタッチして選択すると、少なくとも最下位の前記候補項目のデータを含むデータに年月日の時間データを付加して一纏まりの医療行為の結果データとして前記記憶手段に記憶する医療行為データ取得工程と、
前記記憶手段に記憶した一纏まりの医療行為の結果データを、付与された時間データの順序で画面に表示する結果データ表示工程と、
を具備することを特徴とするカテ室管理方法。
【請求項１６】
患者がカテ室に入ってから出るまでの間に、前記カテ室内で行なわれる医療行為のデータ及び前記カテ室内で使用される薬剤や医療材料のデータを記録するカテ室管理方法であって、
前記カテ室内で使用された薬剤や医療材料に表示されている識別情報を読み取る読取工程と、
前記読取工程で読み取った識別情報と記憶手段に記憶する薬剤や医療材料のデータに基づいて前記カテ室内で使用された薬剤や医療材料のデータに年月日の時間データを付加して各薬剤や医療材料毎に一纏まりの第１使用データとして前記記憶手段に記憶する第１使用データ取得工程と、
前記記憶手段に記憶した薬剤や医療材料毎の一纏まりの第１使用データを、付与された時間データの順序で画面に表示する使用データ表示工程と、
を具備することを特徴とするカテ室管理方法。
【請求項１７】
患者がカテ室に入ってから出るまでの間に、前記カテ室内で行なわれる医療行為のデータ及び前記カテ室内で使用される薬剤や医療材料のデータを記録するカテ室管理方法であって、
前記医療行為を複数の項目に区分し、前記各項目に含まれる複数の医療行為の候補項目のデータを、各項目毎にツリー構造で記録手段に記憶する記憶工程と、
前記複数の項目を画面に表示し、画面に表示された前記項目をタッチして選択すると各々の項目に含まれるツリー構造の前記候補項目の最上位のものを表示し、以下表示された前記候補項目をタッチして選択すると順次下位の前記候補項目を表示する候補データ表示工程と、
前記候補データ表示工程で表示したツリー構造の最下位の前記候補項目をタッチして選択すると、少なくとも最下位の前記候補項目のデータを含むデータに年月日の時間データを付加して一纏まりの医療行為の結果データとして前記記憶手段に記憶する医療行為データ取得工程と、
前記記憶手段に記憶した一纏まりの医療行為の結果データを、付与された時間データの順序で画面に表示する結果データ表示工程と、
前記カテ室内で使用された薬剤や医療材料に表示されている識別情報を読み取る読取工程と、
前記読取工程で読み取った識別情報と前記記憶手段に記憶する薬剤や医療材料のデータに基づいて前記カテ室内で使用された薬剤や医療材料のデータに年月日の時間データを付加して各薬剤や医療材料毎に一纏まりの第１使用データとして前記記憶手段に記憶する第１使用データ取得工程と、
前記記憶手段に記憶した薬剤や医療材料毎の一纏まりの第１使用データを、付与された時間データの順序で画面に表示する使用データ表示工程と、
を具備することを特徴とするカテ室管理方法。
【発明の詳細な説明】
【技術分野】
【０００１】
本発明は、病院等の医療施設で行なわれる検査や治療のデータの記録を支援するカテ室管理システム及びカテ室管理方法に関するものである。
【背景技術】
【０００２】
従来から、病院等の医療施設では、例えば、血管造影検査等の検査や経皮的冠動脈形成手術等の治療を行なう際に、看護婦や技師等が医療行為のデータや、使用した医療材料や薬剤のデータを記録している。これらのデータは通常、所定の記録用紙に手書きで記入される。この記録に基づいて保険請求が行なわれ、またこの記録は患者の検査・治療の記録として保存される。したがって、検査や治療等のデータの記録を取る作業は病院の中では重要な仕事の一つとなっている。
【０００３】
また、従来から、コンピュータを使用して検査や治療のデータの記録を行なう管理システムがある。しかしながら、従来の管理システムは検査や治療中にキーボードやマウスを用いてデータを入力するものであるので、入力作業が煩雑であった。したがって、実際には従来のコンピュータを使用した管理システムは使用されておらず、手書きの方法で記録することが多かった。
【０００４】
【特許文献１】特開平０６−０５２２０１号公報
【発明の開示】
【発明が解決しようとする課題】
【０００５】
しかしながら、記録用紙に手で記入する場合、記録を行なう技師や看護婦等は、本来の自分の仕事をしながら、記録の作業を行なうので、手書き方法では記入漏れが生じやすく、また使用した医療材料に表示されている大きな桁数のロット番号やシリアル番号等を入力するときに記入ミスが生じやすい。したがって、手書き方法では、正確な保険請求や患者の記録を行なうことができないという問題がある。
【０００６】
また、手書き方法では、同じ症状でも医師によって記録するときの表現が異なり、したがって統計が取り難く、記録の管理が煩雑になるという問題がある。
【０００７】
本発明は上記事情に基づいてなされたものであり、カテ室内で実施された医療行為のデータを容易且つ正確に記録することができるカテ室管理システム及びカテ室管理方法を提供することを目的とする。
【０００８】
また、本発明は上記事情に基づいてなされたものであり、カテ室内で使用された薬剤や医療材料のデータを容易且つ正確に記録することができるカテ室管理システム及びカテ室管理方法を提供することを目的とする。
【０００９】
また、本発明は上記事情に基づいてなされたものであり、カテ室内で実施された医療行為のデータや、カテ室内で使用された薬剤や医療材料のデータを容易且つ正確に記録することができるカテ室管理システム及びカテ室管理方法を提供することを目的とする。
【課題を解決するための手段】
【００１０】
上記目的を達成するために本発明に係るカテ室管理システムは、患者がカテ室に入ってから出るまでの間に、前記カテ室内で行なわれる医療行為のデータ及び前記カテ室内で使用される薬剤や医療材料のデータを記録するカテ室管理システムであって、前記医療行為を複数の項目に区分し、前記各項目に含まれる複数の医療行為の候補項目のデータを、各項目毎にツリー構造で記憶する記憶手段と、前記複数の項目を画面に表示し、画面に表示された前記項目をタッチして選択すると各々の項目に含まれるツリー構造の前記候補項目の最上位のものを表示し、以下表示された前記候補項目をタッチして選択すると順次下位の前記候補項目を表示する候補データ表示手段と、前記候補データ表示手段が表示したツリー構造の最下位の前記候補項目をタッチして選択すると、少なくとも最下位の前記候補項目のデータを含むデータに年月日の時間データを付加して一纏まりの医療行為の結果データとして前記記憶手段に記憶する医療行為データ取得手段と、前記記憶手段に記憶した一纏まりの医療行為の結果データを、付与された時間データの順序で画面に表示する結果データ表示手段と、を具備することを特徴とするものである。
【００１１】
また、上記目的を達成するための本発明に係るカテ室管理システムは、患者がカテ室に入ってから出るまでの間に、前記カテ室内で行なわれる医療行為のデータ及び前記カテ室内で使用される薬剤や医療材料のデータを記録するカテ室管理システムであって、前記カテ室内で使用された薬剤や医療材料に表示されている識別情報を読み取る読取手段と、前記読取手段で読み取った識別情報と記憶手段に記憶する薬剤や医療材料のデータに基づいて前記カテ室内で使用された薬剤や医療材料のデータに年月日の時間データを付加して各薬剤や医療材料毎に一纏まりの第１使用データとして前記記憶手段に記憶する第１使用データ取得手段と、前記記憶手段に記憶した薬剤や医療材料毎の一纏まりの第１使用データを、付与された時間データの順序で画面に表示する使用データ表示手段と、を具備することを特徴とするものである。
【００１２】
また、上記目的を達成するための本発明に係るカテ室管理方法は、患者がカテ室に入ってから出るまでの間に、前記カテ室内で行なわれる医療行為のデータ及び前記カテ室内で使用される薬剤や医療材料のデータを記録するカテ室管理方法であって、前記医療行為を複数の項目に区分し、前記各項目に含まれる複数の医療行為の候補項目のデータを、各項目毎にツリー構造で記憶手段に記憶する記憶工程と、前記複数の項目を画面に表示し、画面に表示された前記項目をタッチして選択すると各々の項目に含まれるツリー構造の前記候補項目の最上位のものを表示し、以下表示された前記候補項目をタッチして選択すると順次下位の前記候補項目を表示する候補データ表示工程と、前記候補データ表示工程で表示したツリー構造の最下位の前記候補項目をタッチして選択すると、少なくとも最下位の前記候補項目のデータを含むデータに年月日の時間データを付加して一纏まりの医療行為の結果データとして前記記憶手段に記憶する医療行為データ取得工程と、前記記憶手段に記憶した一纏まりの医療行為の結果データを、付与された時間データの順序で画面に表示する結果データ表示工程と、を具備することを特徴とするものである。
【００１３】
また、上記目的を達成するための本発明に係るカテ室管理方法は、患者がカテ室に入ってから出るまでの間に、前記カテ室内で行なわれる医療行為のデータ及び前記カテ室内で使用される薬剤や医療材料のデータを記録するカテ室管理方法であって、前記カテ室内で使用された薬剤や医療材料に表示されている識別情報を読み取る読取工程と、前記読取工程で読み取った識別情報と記憶手段に記憶する薬剤や医療材料のデータに基づいて前記カテ室内で使用された薬剤や医療材料のデータに年月日の時間データを付加して各薬剤や医療材料毎に一纏まりの第１使用データとして前記記憶手段に記憶する第１使用データ取得工程と、前記記憶手段に記憶した薬剤や医療材料毎の一纏まりの第１使用データを、付与された時間データの順序で画面に表示する使用データ表示工程と、を具備することを特徴とするものである。
【発明の効果】
【００１４】
以上説明したように本発明によれば、画面にツリー形式で順次、表示される候補項目をタッチするだけで、カテ室内で実施された医療行為のデータを容易且つ正確に記録し、且つ取得した医療行為のデータを画面に直ちに表示させて確認することができるカテ室管理システム及びカテ室管理方法を提供することができる。
【００１５】
また、本発明によれば、薬剤や医療材料に付されたバーコードを読み取るだけで、カテ室内で使用された薬剤や医療材料のデータを容易且つ正確に記録し、且つ取得した薬剤や医療材料のデータを画面に直ちに表示させて確認することができるカテ室管理システム及びカテ室管理方法を提供することができる。
【００１６】
また、本発明によれば、画面にツリー形式で順次、表示される候補項目をタッチするだけで、カテ室内で実施された医療行為のデータを容易且つ正確に記録し、且つ取得した医療行為のデータを画面に直ちに表示させて確認することができ、また、薬剤や医療材料に付されたバーコードを読み取るだけで、カテ室内で使用された薬剤や医療材料のデータを容易且つ正確に記録し、且つ取得した薬剤や医療材料のデータを画面に直ちに表示させて確認することができるカテ室管理システム及びカテ室管理方法を提供することができる。
【発明を実施するための最良の形態】
【００１７】
以下に、本願に係る発明を実施するための最良の形態について図面を参照して説明する。
［実施形態の構成］  図１は、本発明の１実施形態であるカテ室管理システムの概略構成図である。図１に示すように、本カテ室管理システムは、検査や治療等を行なうカテ室に配置されたコンピュータ本体１と、検査や治療などのデータを記録するための画面を表示するタッチ入力可能な第１表示装置２と、検査や治療などで記録したデータを表示するタッチ入力可能な第２表示装置３と、コンピュータ本体１に接続されたバーコードリーダ（読取手段）４と、コンピュータ本体１と無線でデータを送受することができる無線式バーコードリーダ（読取手段）５と、記憶部６とを備えている。記憶部６には、準備の項目に含まれる複数の医療行為の候補項目のデータと、検査の項目に含まれる複数の医療行為の候補項目のデータと、治療の項目に含まれる複数の医療行為の候補項目のデータと、後処置の項目に含まれる複数の医療行為の候補項目のデータとが、各項目毎にツリー構造で記憶されている。また、記憶部６には、カテ室内で使用される予定の薬剤や医療材料などのデータなどが記憶されている。更に、記憶部６には、症状の項目に含まれる複数の医療行為の候補項目のデータと、緊急セットの項目に含まれる複数の医療行為の候補項目のデータと、所見の項目に含まれる複数の医療行為の候補項目のデータとが、各項目毎にツリー構造で記憶されている。
【００１８】
本実施形態では、医療行為を大きく、準備と、検査と、治療と、後処置とに区分し、更に、緊急セットと、症状と、所見と、バイタルと、ＥＣＧとに区分している。ここで、準備とは、検査や治療を行なうために必要となる前処置のことをいう。検査とは、患者の患部や病気等の状態を調べることをいう。治療とは、患者の患部や病気を治すことをいう。後処置とは、患者に対して検査や治療を行なった後に行われる処置をいう。症状とは、医師が診た患者の状況をいう。緊急セットとは、患者の容態の急変等に応じて緊急に行なわれる処置をいう。所見とは、造影等の結果を見た医師の見解をいう。バイタルとは、血圧や脈拍等の測定データをいう。また、ＥＣＧとは、心電図を測定することをいう。カテ室では、カテーテル等の医療材料と造影剤等の薬剤を用いて心臓血管等を検査し、患部を治療する。なお、このカテ室は、カテーテル検査室・血管造影室、カテーテル室或いは心臓カテーテル室などと呼ばれることもある。通常、カテ室での検査・治療を行なう場合、先ず鼠経部等の血管にメスを入れ、シースイントロデューサーを血管に挿入する。これにより、その後の検査・治療に使用するカテーテル等を挿入する場所を確保する。また検査・治療の後、シースイントロデューサーを抜去し止血する等の処置が行なわれる。
【００１９】
図２は、本カテ室管理システムの概略機能ブロック図である。図２に示すように、本実施形態のシステムは、大きく分けると、入退出処理部１０と、データ入力部２０と、データ表示部３０と、記録文言編集部４０とを有する。入退出処理部１０は、処置予定管理機能１０１と、患者基本データ取込機能１０２と、患者データ表示機能１０３と、入室チェック機能１０４と、後処理表示機能１０５と、全取得データ修正機能１０６とを有する。
処置予定管理機能１０１は、当該カテ室で検査や治療を行なう患者の予定を管理するものであり、本システムのアプリケーションを立ち上げると、一覧表形式で検査や治療を行なう患者の予定表を第１表示装置２に表示する。図４は、本システムのアプリケーションの立ち上げ時に第１表示装置２に表示される予定表であるカテ記録一覧を示す図である。カテ室の記録担当者は、このカテ記録一覧の画面を用いて、検査や治療を行なう患者の予約を行なう。画面上部の「表示条件設定」のボタンは、表示する日時を設定するものである。最初に表示される画面では、当日分のカテ記録一覧を表示するが、この項目をタッチすることにより、昨日以前のカテ記録一覧や明日以降のカテ記録一覧を画面に表示させることができる。「バーコードリスト印刷」のボタンは、画面に表示されている患者のバーコードを用紙に印刷するためのものである。このバーコードが印刷された用紙を以後の処置で用いることができる。なお、図４のカテNo.の項目は、顧客である病院側が管理上付与する番号である。また、術式は、検査や治療方法の名称のことであり、例えば冠動脈造影検査（CAG）のように入力される。
【００２０】
新規の患者を予約するときには、「新規」のボタンをタッチして選択すると、新たな患者の予約を入力できる。また、既に予約した患者の予約をキャンセルするときには、画面上でその患者の氏名をタッチして反転表示させた後、「削除」のボタンをタッチする。「詳細表示」のボタンをタッチすると、図５に示す患者確認の画面が表示される。記録担当者は、この患者確認の画面を用いて、各患者毎に、実施項目や疾病の項目に入力を行なう。なお、これらの項目への入力は、キーボード等を用いて行なう。実施項目には、予め、その患者について当該カテ室で行なう検査や治療方法の名称、すなわち術式を記入する。なお、実施項目への記入は、緊急の検査や治療を行なうときには、事後に行なうことができる。疾病には、その患者の病名を入力する。なお、これら以外の項目については、本システムの後述する患者基本データ取込機能１０２が、既存の電子カルテ等から当該患者のデータを取得して表示する。カテ室の項目には、大病院のようにカテ室が複数ある場合に、どのカテ室であるかを識別するためにカテ室の名前（本実施形態では、第１カテ室）が表示される。記録担当者は、表示された電子カルテから取得したデータや自らが入力したデータを確認して、誤りがあれば修正する。
【００２１】
また、「カテ記録印刷」のボタンをタッチすると、患者確認の画面に表示される詳細な患者データを印刷することができる。「使用医療材料一覧表示」のボタンをタッチして選択すると、図８に示す使用医療材料一覧表が第２表示装置３の画面に表示される。「使用薬剤一覧表示」のボタンをタッチして選択すると、図９に示す使用薬剤一覧表が第２表示装置３に表示される。
【００２２】
患者基本データ取込機能１０２は、図４のカテ記録一覧の画面で新たな患者が予約されると、予約された患者の住所、年齢等の患者基本データを、本システムとネットワーク接続されたサーバ（不図示）の電子カルテ等から取得する。この取得には、既知の技術を用いて行なうことができるので、その詳細な説明は省略する。患者データ表示機能１０３は、図４のカテ記録一覧で表示された予約患者が選択されて反転表示された後に、「詳細表示」のボタンがタッチされると、第１表示装置２にその選択された患者の患者確認の画面（図５）を表示すると共に、図６に示すカテ室状況の画面を第１表示装置２に表示する。図５に示す患者確認の画面の上部には、患者の患者ＩＤや氏名の他に、電子カルテ等から取得した患者の主治医、施行医等の患者情報が表示され、下部には、検査・治療を行なう前の確認項目が表示される。施行医というのは、当該カテ室で検査や治療等を行なう医師のことである。
【００２３】
入室チェック機能１０４は、図５に示す患者確認の画面の下部に表示された確認項目の全てがタッチされて選択されたときに、「入室許可」のボタンを操作可能な状態とし、「入室許可」のボタンをタッチしたときに、図６に示すカテ室状況の画面の表示を「空き」から「使用中」に変更する。後処理表示機能１０５と全取得データ修正機能１０６については後に詳述する。
【００２４】
図３は、データ入力部２０の機能ブロック図である。図３に示すように、データ入力部２０は、主候補データ表示機能２０１と、主医療行為データ取得機能２０２と、第１使用データ取得機能２０３と、副候補データ表示機能２０４と、副医療行為データ取得機能２０５と、測定項目表示機能２０６と、測定データ入力表示機能２０７、測定データ取得機能２０８と、使用データ入力表示機能２０９と、第２使用データ取得機能２１０とを有する。
【００２５】
主候補データ表示機能２０１は、図５に示す患者確認の画面で、「入室許可」のボタンがタッチされたときに、主処置である、準備、検査、治療及び後処置の各項目を第１表示装置２の画面に表示し、画面に表示された各項目をタッチして選択すると各々の項目に含まれるツリー構造の医療行為の候補項目の最上位のものを表示し、以下表示された候補項目をタッチして選択すると順次下位の候補項目を表示する機能である。主医療行為データ取得機能２０２は、主候補データ表示機能２０１が表示したツリー構造の最下位の候補項目をタッチして選択すると、少なくとも最下位の候補項目のデータを含むデータに年月日の時間データを付加して一纏まりの主医療行為の結果データとして記憶部６に記憶する機能である。主候補データ表示機能２０１によって、第１表示装置２には、図１０に示すデータ入力用初期画面の主処置の項目が表示される。
【００２６】
主処置は、通常、行なわれる医療行為である「準備」、「検査」、「治療」、「後処置」の項目を含むものである。図１０に示す主処置の各項目、例えば、「準備」の項目をタッチして選択すると、図１１（ａ）に示す下位の候補項目、すなわち「前準備」、「触知」、「消毒」、「局部麻酔」の候補項目が表示される。ここで、前準備は医師による患者に対する問診を含む処置であり、触知は医師が患者に手で触って行なう検査処置であり、局部麻酔は人体の一部分の感覚を麻痺させる処置である。更に、これらの何れかの候補項目をタッチして選択すると図１１（ｂ）に示す下位の候補項目、すなわち人体の第１の部位である、人体の左側、右側、両方の何れに関するものであるかを示す「左」、「右」、「両」の候補項目が表示される。さらに、これらの何れかの候補項目をタッチして選択すると、図１１（ｃ）に示す下位の候補項目である、人体の第２の部位である、「鼠経部」、「肘部」、「頚部」、「鎖骨下部」の各項目が表示される。さらに、これらの何れかの項目をタッチして選択すると、図１１（ｄ）に示すように、「ＯＫ」、「触知不可」、「触知微弱」の各項目が表示される。例えば、主処置で「準備」を選択し、図１１に示す各候補項目で、「触知」、「左」、「鼠経部」、「ＯＫ」を選択したとすると、記憶部６には、「時刻（2003-05-23-13:45）−準備−触知−左−鼠経部−ＯＫ」のデータが記憶される。
【００２７】
なお、この記憶の仕方は、これに限定されるものではなく、時刻のデータと最下位の候補項目のデータを含むものであれば、「時刻（2003-05-23-13:45）−左−鼠経部−ＯＫ」でも、「時刻（2003-05-23-13:45）−鼠経部−ＯＫ」であってもよい。しかしながら、取得したデータが何のデータであるかを明確にするためには、時刻のデータと最下位の候補項目のデータの他に最下位の1つ上位の候補項目のデータを含むことが望ましい。また、上述した第１の部位と第２の部位とは、入れ替えることも可能である。
【００２８】
また、「検査」の項目をタッチして選択すると、図１２に示す「ＣＡＧ」、「右心カテ」、「ＩＶＵＳ」等の下位の候補項目が表示される。ＣＡＧは冠動脈造影検査、右心カテは右心カテーテル検査、ＩＶＵＳは超音波造影検査である。以下、順次、表示される下位の候補項目をタッチして選択することにより、最下位の候補項目が画面に表示される。この最下位の候補項目が選択されると、最下位の候補項目のデータを含むデータにタイムスタンプが付されて、結果データとして記憶部に記憶され、その結果データが時間順に第２表示装置３の画面に表示される。
【００２９】
また、「治療」の項目をタッチして選択すると、図１３（ａ）に示す「ＰＴＣＡ」、「アブレーション」、「ペースメーカー植込」の下位の候補項目が表示される。ＰＴＣＡは、心臓血管の狭窄部分を広げる治療の包括的な名称である。アブレーショは、心臓に電極を差し込んで、高圧電流を流して、不整脈の原因となる組織を焼ききる治療をいう。ペースメーカー植込は、人体にペースメーカーを植え込む治療をいう。これらの何れかの項目をタッチして選択すると、同図（ｂ）に示す更に下位の候補項目である、「ＰＯＢＡ」、「ステント」、「ＤＣＡ」、「Rotablator」等の項目が表示される。ＰＯＢＡは、狭窄部をバルーンカテーテルを膨らませ拡大する治療であり、ステントは膨らませ拡大された患部が再狭窄しないように金属環状のステントを留置する治療である。ＤＣＡは、バルーンカテーテルに付属しているカッターにより患部に切り込みを入れる治療である。Rotablatorは、狭窄した患部が石灰化している場合に高速回転する本医療器具（Rotablator）で患部を削る治療をいう。以下、順次、表示される下位の候補項目をタッチして選択することにより、最下位の候補項目が画面に表示される。この最下位の候補項目が選択されると、最下位の候補項目のデータを含むデータにタイムスタンプが付されて、結果データとして記憶部に記憶され、その結果データが時間順に第２表示装置３の画面に表示される。
【００３０】
第１使用データ取得機能２０３は、バーコードリーダ４や無線バーコードリーダ５で読み取った識別情報と記憶部６に記憶する薬剤や医療材料のデータに基づいて、検査や治療等で使用された薬剤や医療材料のデータに、読み取ったときの年月日の時間データを付加して各薬剤や医療材料毎に一纏まりの第１使用データとして記憶部６に記憶する機能である。例えば、造影のカテーテルを使用した場合、この造影のカテーテルの識別情報をバーコードリーダで読み取ることにより、使用したカテーテルのデータが医療材料の使用データとして記憶部に記憶される。
【００３１】
ここで、バーコードとして、厚生労働省が管轄する財団が推奨しているＥＡＮ１２８バーコードを使用すれば、このバーコードを読み取るだけで、生物由来製品や高度管理医療機器のロット番号やシリアル番号、それに使用期限のデータが一度に記憶部に記憶される。また、従来、使用した医療材料のデータを管理するために、各システム毎に、医療材料毎に独自のバーコードラベルを貼る作業を行っていたが、ＥＡＮ１２８のバーコードを使用することにより、このような独自のバーコードラベルを貼る作業を省くことができる。なお、生物由来製品（生物）というのは、人その他の生物（植物を除く）に由来するものを原料として製造される医薬品、医療機器のうち、保険衛生上特別の注意を要するもの、例えば自己細胞由来製品、動物組織医療機器（生細胞を除く）、細胞培養医療機器、動物由来成分使用医療機器等をいう。
【００３２】
副候補データ表示機能２０４は、図５に示す患者確認の画面で、「入室許可」のボタンがタッチされたときに、副処置である、「症状」、「緊急セット」及び「所見」の各項目を画面に表示し、画面に表示された各項目をタッチして選択すると各々の項目に含まれるツリー構造の候補項目の最上位のものを表示し、以下表示された候補項目をタッチして選択すると順次下位の候補項目を表示する機能である。この副候補データ表示機能２０４により、第１表示装置２に表示される図１０のデータ入力用初期画面に副処置の項目として、「症状」、「緊急セット」及び「所見」の各項目が表示される。
【００３３】
副処置は、検査や治療を行っている最中に突発的に生ずる任意の医療行為のデータを記録するために設けられたものある。なお、本実施形態の場合、所見については、検査用と治療用との二つを用意している。検査や治療に適した所見を記録するためである。これらの副処置の何れかの項目をタッチして選択すると、例えば、「症状」の項目を選択すると、図１５に示す下位の候補項目である、「著変なし」、「過緊張」、「胸部症状」、「気分不快」の項目が表示される。さらに、これらの各候補項目をタッチして選択すると、最下位の候補項目である（＋）、（−）の項目が表示される。なお、著変なしは、著しい変化がないことを意味し、過緊張は過度に緊張して心臓の鼓動が大きいことを意味し、胸部症状は、気分が悪い、胸が痛い等の胸部の症状を表わすものであり、気分不快は患者の気分が不快であることを意味する。また、最下位の「（＋）」は、正常であることを意味し、「（−）」は異状であることを意味する。所見や症状の記録内容は、各病院毎或いは施行医毎に異なる場合が多いので、後述するように、これらの記録内容の文言は、自由に修正可能である。
【００３４】
副医療行為データ取得機能２０５は、副候補データ表示機能が表示したツリー構造の最下位の候補項目、例えば症状の項目の場合「（＋）」又は「（−）」の項目をタッチして選択すると、少なくとも最下位の候補項目のデータを含むデータに、最下位の候補項目をタッチして選択したときの年月日の時間データを付加して一纏まりの副医療行為の結果データとして記憶部６に記憶する機能である。例えば、「時刻（2003-05-25-13:30）−症状−著変なし−（＋）」のように記録部６に記録される。この記録の仕方は、時刻と最下位の候補項目を含むものであれば、例えば「時刻（2003-05-25-13:30）−著変なし−（＋）」でもよい。
【００３５】
測定項目表示機能２０６は、器具等を用いて患者の状態を測定して得たデータを入力するための項目、例えば「バイタル」の項目と「ＥＣＧ」の項目を画面に表示する機能である。「バイタル」の項目と「ＥＣＧ」の項目は、図１０に示すデータ入力用初期画面の副処置の項目に表示される。これらの項目のデータの入力は、ツリー構造になじまないので、これらの項目がタッチされ選択されたときには、次に述べる測定データ入力表示機能２０７により、専用の入力画面が表示される。
【００３６】
測定データ入力表示機能２０７は、測定項目表示機能２０６により画面に表示された測定結果データ入力用の項目をタッチして選択すると、各々の項目毎に測定結果をタッチして入力するための入力画面を表示する機能である。例えば、図１０に示すデータ入力初期画面で「バイタル」の項目をタッチして選択すると、図１９に示すバイタルの測定データ入力画面を画面に表示する。図１９の各表示項目である、最高血圧BP H、最低血圧BP L、心拍数HR、血中酸素濃度SpO2aをタッチして選択すると、各項目の数値を選択入力ための画面（不図示）が表示される。例えば、最大血圧BP Hであれば、３桁の０〜９までの数値を表示する。記録担当者は、各桁の数値をタッチして選択することにより最大血圧を入力できる。この数値は、最下位の項目となる。図１９の表示項目の全ての最下位の数値の項目をタッチして入力すると、バイタルの各項目と最下位の数値の項目のデータに時間データが付与されて医療行為の一纏まりの結果データとして記憶部６に記憶される。また、この記憶が完了すると、図１９に示すバイタルの入力画面に戻る。なお、これらのデータは、数値をタッチして入力する代わりに、測定装置を用いて自動で取得するようにすること可能である。図１９では、既にこれらの項目の数値が選択入力されている状態を表示している。
【００３７】
また、例えば、図１０に示すデータ入力初期画面で「ＥＣＧ」の項目をタッチして選択すると、図２０に示すＥＣＧの測定データ入力画面が画面に表示される。図２０の各表示項目I、II、III、aVR、aVL、aVF、V1、V2、V3、V4、V5、V6は、電極の位置を示すものである。電極I、II、III、aVR、aVL、aVFの各電極は独立してＯＮ状態とすることができものであるので、各電極を単独で選択することができる。電極V1、V2、V3、V4、V5、V6は連携した信号を得るものであるので、例えば電極V1とV4をタッチして選択すると、電極V1〜電極V4までを選択して各電極V1〜V4をＯＮ状態にしたことになる。電極を選択した後、記録担当者はST波の状況を目視して、その結果をタッチして入力する。ST波が低下しているときにはST低下の項目を、ST波が上昇しているときにはST上昇の項目を、ST波が変化していないときには変化なしの項目をタッチして選択する。心電図の中のST波が上昇したり、低下したりすると、患者の容態が悪化することが多いので、心臓の検査や治療ではST波のデータを記録している。心電図の記録は、通常、心電図を見ているメディカルエンジニアが心電図の様子が変化したときに、医師に報告すると共に、本実施形態のシステムを用いて、そのときの状況を測定結果データとして記憶部に記憶する。なお、本実施形態では、１２個の電極を使用しているので、電極の項目が１２個あるが、本発明はこれに限定されるものではなく、電極の数は６極や８極であってもよい。
【００３８】
測定データ取得機能２０８は、測定データ入力表示機能により表示された入力画面を用いて入力された測定データに年月日の時間データを付加して一纏まりの測定結果データとして記憶部６に記憶する機能である。例えば、図１９に示すバイタルの項目の場合、すべの項目の数値を入力すると、「BP H-110、BP L-80、HR-60、SpO2-98」のデータに時刻データが不可されて記憶部６に記憶される。また、図１９に示すＥＣＧの項目の場合、例えば、電極Iと電極IIと電極V1と電極V4とを選択し、ST低下を選択すると、記憶部６には「I-II-V1〜V4-ST低下」のデータに時刻データが付加されて記憶される。
【００３９】
上述した主候補データ表示機能２０１は、医療行為に関する候補項目を画面に表示するときに、各候補項目で使用される薬剤や医療材料の名称も、同時に画面に表示する機能も有する。使用データ入力表示機能２０９は、記録担当者が主候補データ表示機能２０１によって画面に表示された医薬や医療材料の名称をタッチして選択したときに、各々の名称毎に使用した医薬や医療材料の使用量をタッチして選択入力するための入力画面を表示する機能である。例えば、図１０に示すデータ入力用初期画面で、「準備」、「消毒」、「左」、「イソジン」と順次、タッチして選択すると、画面には、イソジンの使用量を入力するための画面（不図示）が表示される。記録担当者は、この画面で数値をタッチして選択することにより使用量のデータを入力することができる。
【００４０】
このように、消毒に使用する薬剤（イソジン）は、ロット管理が不要であり、使用量を入力するだけであるので、上述したタッチ入力をすることができる。本実施形態では、ロット管理が必要な医療材料や薬剤は、入力する数字の桁数が大きくなるので、バーコードを用いて入力し、ロッド管理が不要な医療材料や薬剤は、タッチ入力を行なうようにしている。なお、消毒に使用するイソジン等の薬剤も、その使用量は予め分っているので、バーコードを用いてデータを取得するようにしてもよい。この場合、薬剤名を識別できるようにバーコードを作成することができるので、イソジン等の薬剤の名称を画面に表示する必要はなくなる。
【００４１】
第２使用データ取得機能２１０は、使用データ入力表示機能２０９により表示された入力画面を用いて入力された使用量のデータと、対応する前記医薬又は前記医療材料の名称のデータに年月日の時間データを付加して一纏まりの第２使用データとして記憶部に記憶する機能である。ここで、使用量というのは、薬剤の場合は重量、容量、使用単位（瓶、アンプル等）、医療材料の場合は使用単位を入力する。
【００４２】
後処理表示機能１０５は、図１０に示すデータ入力用初期画面で「退出」のボタンをタッチすると、第１表示装置２の画面の「後処理」のボタンを操作可能な状態とすると共に、図１０に示すデータ入力用初期画面の主処置と副処置のウインド表示を終了する機能である。また、後処理表示機能１０５は、「退出」の項目がタッチされると、図７、図８及び図９の各データ表示画面の下部に設けられた「修正」や「確定」のボタンを操作可能とする。
【００４３】
全取得データ修正機能１０６は、後処理表示機能１０５によって操作可能とされた「修正」のボタンがタッチされると、図７、図８、図９の各図に示すデータ表示画面に表示している時間データを含めた全てのデータの修正を許可し、また「確定」の項目が画面上でタッチされると、その後は取得したデータを確定状態とし、データの変更を不許可とする機能である。
【００４４】
データ表示部３０は、結果データ表示機能３０１と、結果データ修正機能３０２と、使用データ表示機能３０３と、使用データ修正機能３０４とを有する。結果データ表示機能３０１は、記憶部６に記憶した一纏まりの主医療行為や副医療行為の結果データを、付与された時間データの順序で画面に表示する機能である。また、結果データ表示機能３０１は、記憶部６に記憶している測定結果データを、付与された時間データの順序で画面に表示する機能をも兼ね備えている。図７は、結果データ表示機能３０１により表示される画面の一例を示す図である。
【００４５】
結果データ修正機能３０２は、図７に表示される各種の一纏まりの結果データを選択して反転表示させ、「削除」のボタンをタッチすると一纏まりのデータ全体を削除することができる機能である。この機能により、例えば誤って記憶したデータを削除して、新たに正しいデータを記録し直すことができる。なお、個別の項目の修正は、後述する「後処理」の項目をタッチすることにより可能となる。
【００４６】
使用データ表示機能３０３は、第１使用データ取得機能２０３によって記憶部６に記憶された薬剤や医療材料毎の一纏まりの第１使用データ、及び第２使用データ取得機能２１０によって記憶部６に記憶された薬剤や医療材料毎の一纏まりの第２使用データを、付与された時間データの順序で画面に表示する機能である。図８は使用データ表示機能３０３により表示される使用医療材料一覧の画面を示す図であり、図９は使用データ表示機能３０３により表示される使用薬剤一覧の画面を示す図である。使用データ修正機能３０４は、図８或いは図９に表示されるデータを選択して、「削除」のボタンをタッチすると一纏まりの使用データ全体を削除することができる機能である。この機能により、例えば誤って記憶したデータを削除して新たに正しいデータを記憶し直すことができる。個別の項目のデータの修正は、上述した結果データの修正と同様である。
【００４７】
記録文言編集部４０は、表形式データ表示機能４０１と、記録文言編集・登録機能４０２と、木構造データ生成機能４０３とを備えている。表形式データ表示機能４０１は、各項目や各項目に含まれる候補項目の文言を編集・登録するためのものであり、記憶部６に準備、検査、治療、後処置、症状、緊急セット及び所見の各項目毎にツリー構造で記憶されている医療行為の候補項目のデータを表形式のデータとして画面に表示する機能である。例えば、表形式データ表示機能４０１により、記憶部６にツリー構造で記憶されている準備の項目の文言を第１表示装置２に、図２１に示すように表形式で表示することができる。
【００４８】
記録文言編集・登録機能４０２は、表形式データ表示機能４０１によって画面に表示された表形式のデータの文言を修正・削除・追加するための機能である。この記録文言編集・登録機能４０２により、例えば図２１に表示した準備の項目の表にあらたな候補項目を追加したり、削除したり、修正したりすることができる。また、修正したものは、上書きすることも、新たな名称のもとに記録部６に記録することも可能である。
【００４９】
木構造データ生成機能４０３は、記録文言編集・登録機能４０２によって、修正・削除・追加された後の表形式のデータを、ツリー構造のデータに変更して記憶部６に記憶する機能である。このとき、保存するファイルの属性に、例えば施行医の名前のデータを持たせておくことにより、その施行医が検査や治療を行なうときには、登録したその施行医用の候補項目の文言が画面に表示される。上述したように、本実施形態では、データのタッチ入力画面に表示される各候補項目の文言を、画面上に表形式で表示して修正を行なうことができるので、コンピュータの知識が少ない者でも、容易に各候補項目の文言を修正して登録することができる。
【００５０】
なお、記録文言編集部４０は、本システムのアプリケーションには、組み込まずに、この記録文言編集部４０を用いて、病院毎、或いは施行医毎に作成したアプリケーションをユーザである病院等に販売するようにしてもよい。
【００５１】
［実施形態の動作］  次に、本実施形態であるカテ室管理システムの動作について説明する。本システムのアプリケーションを立ち上げると、図４に示すカテ記録一覧の画面が第１表示装置２に表示される。カテ室の記録担当者は、まず、このカテ記録一覧の画面を用いて、カテ室で検査や治療を行なう患者の予約を行なう。この予約は、キーボードを使用して、まず、日時と、患者ＩＤとを入力する。なお、患者ＩＤのデータは患者ＩＤが印刷されたバーコードをバーコードリーダで読み取って入力してもよい。患者の氏名と患者ＩＤが入力されると、本システムは、予約された患者の患者ＩＤに基づいて住所、年齢等の患者基本データを、本システムとネットワーク接続されたサーバ（不図示）に格納されている電子カルテ等から取得する。
【００５２】
記録担当者は、図４の画面で、「詳細表示」のボタンをタッチすることにより、図５に示す患者確認の画面を画面に表示させ、更にこの画面を用いて実施項目の欄や疾病の欄に必要な事項を入力する。実施項目には、その患者に対して、そのカテ室で行なう検査方法や治療方法の名称を記入する。疾病の項目には、例えば心臓弁膜症等の病名を記入する。なお、緊急の場合、これらの項目は空欄のままでもよい。また、記録担当者は、本システムによって電子カルテ等から取得した患者の詳細なデータに間違いがないかを確認する。間違いを発見したときには、この画面上で修正することができる。このようにして、患者の予約が終わったら、「閉じる」のボタンをタッチして本システムのアプリケーションを終了する。なお、予約した患者の検査や治療に使用する薬剤や医療材料は、その患者の検査や治療の当日前に予め、当該カテ室に搬入し、搬入した薬剤や医療材料のデータはバーコードリーダやキーボード等を用いて本システムに入力しておく。本システムでは、カテ室に在庫している薬剤や医療材料の一覧を画面に表示することもできる。図２２は、使用予定医療材料一覧の一例を示す図である。
【００５３】
患者の検査や治療を行なう当日は、その患者を連れてカテ室に移動する。カテ室に入室したら、まず本システムのアプリケーションを立ち上げて、画面に図４に示すカテ記録一覧の画面を表示する。次に、図４のカテ記録一覧の中から予約患者の氏名をタッチし、反転表示させて「詳細表示」のボタンをタッチする。これにより、第１表示装置２には図５に示すその患者の患者確認の画面が表示されると共に、図６に示すカテ室状況の画面が表示される。次に、第１表示装置２に表示された患者確認の画面の下部にある確認項目をチェックする。記録担当者は、その患者の検査や治療の依頼伝票があるか、その患者のカルテがあるか、患者本人に間違いないかを目視で確認し、それぞれの確認項目をタッチする。全ての確認項目がタッチされて選択されると、図５の患者確認の画面の下部にある「入室許可」のボタンが操作可能な状態となる。本実施形態では、かかる確認項目を設けたことにより、例えば意識のない患者の検査や治療を行なう場合、また急に容態が悪化した患者に対して予約の順番より早く検査や治療を行なう場合でも、患者の取り違えや手術ミスを確実に防止することができる。
【００５４】
図の患者確認の画面の「入室許可」のボタンをタッチすると、図６に示すカテ室状況の画面の表示が「空き」から「使用中」に変わる。同時に第１表示装置２には、図１０に示すデータ入力用初期画面が表示される。この画面には、主処理の項目、副処理の項目、及び「後処理」と「退室」のボタンが表示される。なお、図１０に示すデータ入力用の初期画面の主処置と副処置のウインドは、「退室」のボタンをタッチするまで、第１表示装置２の画面の一部に表示される。また、「後処理」のボタンは「退出」のボタンをタッチした後に、操作可能となる。
【００５５】
カテ室の記録担当者は、施行医が各種の医療行為を行なうときに、本システムを用いて、各医療行為に応じた記録をとることができる。すなわち、第１表示装置２の画面に表示される主処置や副処置の項目を順次タッチして選択することにより、医療行為のデータを自動で記録することができ、また記録した医療行為のデータは、直ちに記録した時間順に第２表示装置３の図７に示す検査・治療記録の画面に表示される。また、バーゴードリーダ４や無線バーコードリーダ５を用いて医療行為で使用した医療材料のバーコードを読み取るだけで、使用した医療材料のデータを記録することができ、記録した医療材料のデータは、直ちに第２表示装置の図８に示す使用医療材料一覧に表示される。同様に、バーゴードリーダ４や無線バーコードリーダ５で、使用した薬剤のバーコードを読み取るだけで、使用した薬剤のデータを記録することができ、記録した薬剤のデータは、直ちに第２表示装置３の図９に示す使用薬剤一覧に表示される。
【００５６】
主処置は、通常は、準備、検査、治療、後処置の順序で処置が行なわれるが、稀に、準備の後に、検査や治療をせずに、後処置を行なう場合もある。準備をしている間に、検査や治療を予定していた患者の容態が悪くなり、検査や治療を中止する場合もある。また、準備、検査を行って、治療をせずに、後処置を行なう場合もあるし、準備のあと、検査をせずに治療して後処置を行なうこともある。記録担当者は、このような医師の処置を見ながら、本システムを用いて、カテ室内における医療行為を記録する。
【００５７】
次に、まず準備におけるデータの記録方法について詳述する。カテ室での検査や治療を行なう際には、通常その前処置である準備を行なう。記録担当の看護婦や技師は、まず主処置の「準備」の項目をタッチする。これにより、第１表示装置の画面の一部には、図１１（ａ）に示す準備の下位の候補項目を表示するウインドが開く。施行医が触知を行なうときには、記録担当者は、「触知」の項目をタッチする。これにより第１表示装置の画面には、同図（ａ）に代わって同図（ｂ）に示す更に下位の候補項目を表示するウインドが開く。施行医が体の左側を触知しているのであれば、記録担当者は「左」の項目をタッチする。これにより同図（ｂ）に代わって同図（ｃ）に示す更に下位の候補項目である、体の部位を選択するウインドが開く。医師が鼠経部を触知しているのであれば、「鼠経部」の項目をタッチして選択する。すると、同図（ｃ）に代わって同図（ｄ）に示す更に下位の候補項目を示すウインドが開く。ここで、医師が異状なしと判断したときには、「ＯＫ」の項目をタッチして選択する。触知の項目では、図１１（ｄ）に示す項目が最下位の候補項目であるので、「ＯＫ」の項目をタッチすると、本システムは、一纏まりの結果データとして記録担当者がタッチした「準備−触知−左−鼠経部−ＯＫ」のデータにタイムスタンプを付けて記憶部６に記憶する。
【００５８】
このようにして記憶した結果データは、第２表示装置の図７に示す検査・治療記録の画面に直ちに表示される。医師や記録担当者等は、各項目の最下位の項目をタッチした後は、第２表示装置３を見ることにより、記録した結果データが正しいものであるか否かを画面上でリアルタイムに確認することができる。仮に、入力ミスを発見したときには、画面上でそのミスしたデータを選択して「削除」ボタンをタッチし、再度、準備の項目からタッチし直して、正しいデータを記録し直すことができる。また、図１１において、各項目の最下位の項目が選択されると、第１表示装置の画面には、同図（ｄ）のウインドに代わって同図（ａ）のウインドが表示される。これにより、準備の他の下位の候補項目である「消毒」等の項目を選択することが可能となる。
【００５９】
次に、例えば医師がイソジンを用いて患者の頚部を消毒したのであれば、図１１（ａ）のウインドの「消毒」の項目、同図（ｂ）のウインドの「左」の項目、同図（ｃ）のウインドの「頚部」の項目、同図（ｅ）のウインドの「イソジン」の項目の順にタッチする。これにより、使用したイソジンの使用量をタッチ入力画面（不図示）が表示される。この画面で使用量、例えば１０ccをタッチ入力したとすると、消毒の項目は、この数値入力の画面が最下位の候補項目となるので、「準備−消毒−左−イソジン−１０」のデータにタイムスタンプが付されて、これらのデータが一纏まりの使用データとして記憶部６に記憶され、第２表示装置に表示されている図９に示す使用薬剤一覧のウインドに記録したデータが表示される。以下同様にして、医師が局部麻酔を行なえば、「局部麻酔」の項目をタッチしてデータを入力することができる。なお、本実施形態では、前準備の項目には、何も設定していない。カテ室によっては、或いは医師によっては、上述した準備の前に前準備を行なう場合があるので、この場合に備えて前準備の項目を予備的に表示しているが、本実施形態では、この前準備に含まれる候補項目は設定されていないので、タッチしても下位の候補項目は表示されない。前準備の項目に下位の候補項目を設定するときには、図示しない設定画面から、図２１に示す準備の表形式のデータを表示して前準備の項目の下位の候補項目の欄に文言を記入するだけで、前準備の候補項目を設定することができる。
【００６０】
次に、医師が検査を行なうときには、記録担当者は、主処置の「検査」の項目をタッチする。これにより、第１表示装置の画面の一部には、図１２に示す検査の下位の候補項目のウインドが表示される。以下、上述した場合と同様にして、医師の行なう検査にしたがって図１２に示すウインドの各項目をタッチして選択することにより、順次、下位の候補項目のウインドが画面に表示され、最下位の候補項目を選択すると、一纏まりの結果データのとして記憶部に記憶され、第２表示装置の図７に示す検査・治療記録の画面に記憶したデータが表示される。なお、図１２では、1つのウインドしか描かれていないが、実際には、準備の項目と同様に、更にツリー構造の下位の候補項目を表示するウインドが用意されている。
【００６１】
医師が治療を行なうときにも、同様にして記録担当者は、主処置の「治療」の項目をタッチする。すると、図１３（ａ）に示すウインドが画面に表示される。ここで例えば「ＰＴＣＡ」の項目をタッチすれば、更に同図（ｂ）に示すウインドが表示される。以下、上述した場合と同様にして、医師の行なう治療にしたがって図１３に示す項目等を順次タッチして選択し、最下位の項目を選択すると、タッチした項目のデータにタイムスタンプが付されて一纏まりの結果データのとして記憶部に記憶され、第２表示装置に記憶したデータが表示される。なお、図１３では、（ａ）図と（ｂ）図しか描いていないが、実際には、準備の項目と同様に、更にツリー構造の下位の候補項目を表示するウインドが用意されている。
【００６２】
検査や治療が終了し、医師が後処置を行なうときには、記録担当者は、主処置の項目の後処置をタッチして記録する。これにより図１４に示す後処置の下位の候補項目のウインドが画面の一部に表示される。図１４に示す「様子観察」は、医師が診た患者の様子である。プロタミン投与というのは、血液の凝固を抑える薬剤であるプロタミンを患者に投与する措置をいう。医師が、プロタンミンを投与したのであれは、記録担当者は「プロタミン投与」の項目をタッチする。これにより、使用したプロタミンの量（数値）をタッチ入力するための画面（不図示）が表示される。この画面で、数値をタッチ入力すると、この数値の項目は最下位の候補項目であるので、投与したプロタミンのデータにタイムスタンプが付されて記憶部に記憶される。
【００６３】
また、患者を安静にしていたのであれば、「安静」の項目をタッチする。これにより、安静にしていた時間、例えば１０（分）とか２０（分）という数字を入力するためのウインド（不図示）が表示される。このウインドで時間（数値）をタッチ入力すると、この時間の項目は安静の項目の最下位の項目であるので、安静にしていた時間にタイムスタンプが付与されてデータが記憶部に記憶される。また、「止血」の項目をタッチして選択すると、何を使って止血したかの下位の項目を選択するためのウインドが表示される。更に、圧迫止血を行なった場合、「圧迫止血開始」の項目をタッチして開始時刻を入力することができ、「圧迫止血終了」の項目をタッチして終了時刻を入力することができるようになっている。これにより各々の時刻のデータにタイムスタンプが付されて結果データとして記憶部６に記録される。
【００６４】
ところで、検査や治療を行っている最中に、急に患者の容態が悪化する場合がある。このような場合は、医師は検査や治療を中止して、その患者に対して緊急処置、例えば、カウンターショックや心臓マッサージ等を施す。このとき記録担当者は、第１の画面に常時表示されている図１０に示す副処置の「緊急セット」の項目をタッチして記録を行なう。「緊急セット」の項目をタッチすると、図１６に示す下位の候補項目のウインドが画面に表示される。たとえば、ＩＡＢＰは、簡易な心臓のポンプ機能を果たすカテーテルを使用する処置であり、カウンターショックというのは、患者が心停止をした場合に、心臓に電気的ショックを与え蘇生させるための処置である。図１６に示すウインドで、「カウンクーショック」或いは「心マッサージ」の項目をタッチして選択すると、更に下位の項目である時間を入力するウインド（不図示）が表示される。このウインドで時間をタッチ入力すると、この時間の項目は心マッサージ等の項目の最下位の項目であるので、心マーサージ等を行なった時間のデータにタイムスタンプが付されて記憶部にデータが記憶される。
【００６５】
このように、副処置の「緊急セット」、「症状」、「所見」、「バイタル」、「ＥＣＧ」の各項目は、検査や治療を行っているときに、必要に応じて記録をとることができる。「症状」の項目をタッチすると、症状の項目の下位の候補項目である図１５（ａ）に示すウインドが画面に表示される。図１５（ａ）の「署変なし」等の項目をタッチすると、同図（ｂ）最下位の候補項目である「（＋）」、「（−）」の項目のウインドが表示される。例えば、患者が生まれて初めての手術で過度に緊張しているときには、記録担当者は、「症状」の項目、「過緊張」、「（−）」の項目をタッチして入力する。これにより、「症状−過緊張−（−）」のデータにタイムスタンプが付されて記憶部に記憶される。また、この結果データも第２表示装置の図７の検査・治療記録に表示される。
【００６６】
また、「所見」の項目をタッチすることにより、いつでも医師の所見をタッチ入力することができる。なお、所見については、検査用と治療用とで別個のものが用意されている。例えば、検査を行っているときに、副処置の「所見」の項目をタッチすると、検査用の所見をタッチ入力することができる。すなわち、検査の項目をタッチした後に、「所見」の項目をタッチすると、図１７に示す検査用の所見を入力するウインドが開く。まず、図１７（ａ）に示す部位の候補項目を選択するウインドが第１表示装置２の画面に表示される。部位とういのは、心臓の一部を示すものであり、基本的には、心臓は１〜１５まので部位に区分されている。医師の医療行為に応じて、記録担当者が部位の何れかの項目を選択すると、同図（ｂ）に示す更に下位の候補項目を表示するための、部位の詳細のウインドが開く。このウインドで詳細な部位の何れかの項目を選択すると、同図（ｃ）に示す所見のウインドが表示される。
【００６７】
ここで、例えば「Stenosis（狭窄を意味する）」の項目をタッチして選択すると、同図（ｄ）のウインドが表示される。このウインドで、例えば「狭窄度」の項目をタッチすると、同図（ｅ）のウインドが、「狭窄形態」の項目をタッチすると、同図（ｆ）に示す狭窄形態のウインドが表示される。同図（ｆ）の画面で、０〜５mm或いは５〜２６mmをタッチすると、同図（ｇ）に示す性質のウインドが表示される。狭窄状態の項目では、同図（ｇ）に示す項目が最下位の項目であるので、この項目をタッチすると、「所見−RCA#1−Mid−Stenosis−狭窄状態−０〜５mm−偏心性」のデータにタイムスタンプが付けられて、記憶部６に記憶される。また、同図（ｃ）のウインドの側副血行路、冠動脈瘤、冠動脈解離、冠動脈血栓の何れかの項目をタッチすると、最下位の項目として、同図（ｉ）に示すウインドが画面に表示される。なお、「（＋）」の場合、状態が良く、「（−）」の場合、状態が良くないことを示す。このウインドで「（＋）」をタッチすると、例えば「検査−所見−RCA#1−Mid−側副血行路−（＋）」のデータにタイムスタンプが付されて記憶部に記憶される。
【００６８】
また、例えば、治療の項目をタッチして治療を行なっているときに、副処置の「所見」の項目をタッチすると、治療用の所見を入力することができる。この場合、「所見」の項目をタッチすると、図１８に示す治療用の所見を入力するウインドが表示される。まず、図１８（ａ）に示す部位の項目を選択するウインドが第１表示装置２の画面に表示される。このウインドに表示されている何れかの項目をタッチすると、同図１８（ｂ）に示す部位の詳細を選択するウインドが画面に表示される。部位の詳細のウインドの何れかの項目を選択すると、同図（ｃ）に示す所見（Pre）のウインドと同図（ｄ）に示す所見（Post）のウインドが画面に表示される。所見（Pre）のウインドは、治療前の所見を入力するためのウインドであり、所見（Post）のウインドは治療後の所見を入力するためのウインドである。
【００６９】
所見（Pre）のウインドで、「Stenosis」又は「Re Stenosis」を選択すると、同図（ｄ）に示す最下位の候補項目を示す狭窄度のウインドが開く。このウインドで数値、５０％をタッチすると、「治療−所見−RCA#1−Mid−Stenosis−５０％」のデータにタイムスタンプが付されて記憶部にデータが記憶される。また、同図（ｃ）に示す所見（Pre）のウインドで、側副血行路、冠動脈瘤、冠動脈解離、冠動脈血栓の何れかの項目をタッチすると、最下位の項目として、同図（ｉ）に示すウインドが画面に表示される。
【００７０】
また、所見（Post）のウインドの「Stenosis」を選択すると、同図（ｆ）に示す狭窄度のウインドが画面に表示される。ここでは、治療により狭窄度がどの位、回復したかをタッチ入力する。この画面で何れかの数値、例えば８０％を選択すると、更に同図（g）に示す治療結果のウインドが画面に表示される。このウインドで、何れかの項目をタッチすると、この項目が最下位の項目であるので、例えば「治療−所見−RCA#1−Mid−所見（Post）Stenosis−５０％−バルーンクロスせず」のデータにタイムスタンプが付されて記憶部にデータが記憶される。なお、「Re Stenosis」は、一度処置して、また狭窄した再狭窄であることを意味する。また、検査では、治療の前の所見だけを入力するが、治療では、治療の前と後の両方の所見を入力できる。これにより、治療の結果、患部がどのように変化したかをデータとして記録することができる。
【００７１】
また、副処置の「バイタル」の項目をタッチすると、図１９に示す血圧に関するデータをタッチ入力するウインドが画面に表示さる。この画面で、Bp H（最高血圧）をタッチすると、最高血圧の数値を入力するウインド（不図示）が表示される。このウインドで数値をタッチして選択する。同様にして、Bp L（最低血圧）、HR（心拍数）、SpO2（血中酸素濃度）の各項目を選択して、測定した値をタッチ入力する。全ての項目の数値入力が終わると、例えば「Bp H−１１０−Bp L−８０−HR−６０−SpO2−９８」のデータにタイムスタンプが付されて記憶部にデータが記憶される。これらの測定データは、図７に示す検査・治療記録の「Bp H」、「Bp L」、「HR」、「SpO2」の項目の下に直ちに表示される。
【００７２】
また、副処置の「ＥＣＧ」の項目をタッチすると、図２０に示す、心電図の測定結果をタッチ入力するウインドが表示される。このウインドは、１２本の電極を用いて心電図を測定するためのものである。使用する電極をタッチし、次に「ＳＴ波低下」、「ＳＴ波上昇」或いは「変化なし」の何れかの項目をタッチする。電極I、II、III、aVR、aVL、aVFの６つの電極は独立した信号であり、各電極を単独で指定して、各電極をＯＮ状態とすることができる。電極V1、V2、V3、V4、V5、V6の電極は、連携した信号であるので、電極V1とV4をタッチすると、電極V1〜V4の各電極がＯＮ状態となる。測定する電極をタッチしてＯＮ状態として、更にST波の状態をタッチ入力する。例えば、電極I、IIIと電極V1、V4をタッチし、更にST波上昇をタッチすると、「I−III−V1−V2−V3−V4−ST上昇」のデータにタイムスタンプが付されて記憶部にデータが記憶される。これらの測定データは、直ちに第２表示装置３の図７に示す検査・治療記録に表示される。なお、図７の画面では、これらの測定データを表示する項目は隠れていて表示されていないが、同図の画面を左右方向にスクロールすることにより、これらの測定項目のデータを画面に表示することができる。
【００７３】
上記のようにして患者に対する準備、検査、治療、後処置等が終了したときには、図１０のデータ入力用初期画面で「退室」のボタンをタッチする。これにより、当該患者に対するデータ入力の作業は終了し、図１０に示すデータ入力用初期画面の主処置と副処置のウインド表示を終了し、「後処理」のボタンが操作可能となる。記録担当者は、この「後処理」をタッチして入力したデータの確認・修正を行なう。図１０に示すデータ入力用初期画面で「後処理」のボタンをタッチすると、取得した全てのデータを修正することができる。すなわち、図７に示す検査・治療記録、図８に示す使用医療材料一覧、図９に示す使用薬剤一覧に表示されているすべのデータを個別に修正することができる。この機能を用いて、記録担当者は、記録されたデータに入力ミスがないかを確認し、入力ミスを見つけたときには修正する。
【００７４】
この修正では、誤入力された医療材料の一纏まりのデータを削除して、新たにバーゴードリーダを用いて入力することも可能である。また、この場合、時刻が新たに入力した時刻となるので、時刻のデータだけを実際にその医療材料を使用した時刻に修正することも可能である。バーコードを用いたデータの入力は、入室してから後処理を終えるまで間は、いつでも行なうことができる。このようにしてデータの修正を行ない、入力ミスが無くなったことを確認したら、各データ表示画面の「確定」のボタンをタッチする。この「確定」のボタンをタッチすると、以後、入力したデータの修正を行なうことができなくなり、取得したデータが確定される。「確定」のボタンをタッチした後、各データ表示画面で「閉じる」のボタンをタッチすると、本システムのアプリケーションは終了する。
【００７５】
なお、各種のデータを入力するときに、表示されるツリー構造のデータは、図示しない設定画面を用いて修正することができる。すなわち、この設定画面から例えば図２１に示す、準備の項目のツリー構造のデータを表形式に変換したデータが第２表示装置の画面に表示させることができる。このシステムの管理者等は、この表形式の画面を用いて、表示された文言を自由に修正することができる。この修正では、上述したデータ入力画面において表示されるツリー構造のデータの全ての文言について修正・変更が可能である。
【００７６】
修正を終えたら、図示しない登録のボタンをタッチして修正したものを記憶部に記憶させる。すなわち、登録のボタンがタッチされると、表形式のデータは、ツリー構造のデータに変換されて記憶部に記憶される。ツリー構造のデータを表形式のデータに変換したり、逆に表形式のデータをツリー構造に変換したりするプログラムとしては、既知のものを使用することができる。また、修正した内容を登録する際に、例えばファイル属性に施行医の名前のデータを持たせておけば、その施行医がカテ室で検査・治療を行なうときには、その施行医用に作成され登録されたデータを読み出して画面に表示することができる。この機能により、カテ室で記録をとるときに画面に表示される文言を自分なり、カスタマイズして使いやすくすることができる。
【００７７】
［実施形態の効果］  従来の電子カルテでも、患者のデータをコンピュータで入力することが可能であるが、従来の電子カルテは、全ての入力項目が一度に画面が表示されるので、入力するのに、熟練を要し、使い難いという問題があった。これに対して、本実施形態によれば、必要な入力項目を順次、画面に表示してタッチ入力を行なうことができるので、従来のものに比べて、遥かに入力作業を迅速且つ容易に行なうことができる。
【００７８】
また、本実施形態によれば、検査や治療における医療行為等のデータをタッチ入力することができるので、キーボードやマウスを使用してデータを入力する場合に比べて、迅速且つ確実にデータを入力することができる。
【００７９】
また、上記の本実施形態によれば、検査や治療等を行っている最中に、リアルタイムで、処置した医療行為のデータや、使用した薬剤や医療材料のデータを確認することができるので、データの入力ミスの確認や修正を従来のものに比べて容易且つ迅速に行なうことができる。
【００８０】
また、本実施形態によれば、記録する文言を表形式で画面に表示させて修正することができるので、病院毎、或いは施行する医師毎に、記録する文言を変更して登録することがき、したがって容易に使い勝手の向上を図ることができる。
【００８１】
また、医療保険の請求を行なうときには、どの患者にどの薬剤と医療材料と使用してどのような処置をしたが重要となる。本実施形態では、医療保険の請求に必要な全てのデータを取得しているので、これらのデータを容易に保険請求のためのシステムに転送して、保険請求を行なうことができる。
【００８２】
［他の実施形態］  本発明は、上記の実施形態に限定されるものではなく、その要旨の範囲内において種々の変形が可能である。例えば、カテ室は、放射線治療室、外科手術室等、病院内の全ての検査や治療を行なう室であってもよい。
【００８３】
また、記録文言編集部４０の各機能は、本システムの管理者等が、設定されたキーワードやパスワードを入力したときだけ、使用することができるようにしてもよい。
【００８４】
また、上記の実施形態では、ロット管理が不要な薬剤については、その薬剤の名称や使用量をタッチ入力する場合について説明したが、これらの薬剤についても、バーコードを付して、全ての薬剤をバーコード入力するようにしてもよい。同様に、医療材料についても、全てバーコード入力するようにしてもよい。
【００８５】
また、上記の実施形態では、医療行為を大きく４つの項目に区分したが、この区分は、３つ以下でも、４つ以上であってもよい。更に、主処置の項目は、準備、検査、治療、後処置の名前にも限定されるものではなく、例えば、治療は手術等であってもよい。更に、上記の実施形態では、主処置と副処置とを別個のウインドに表示したが、例えば副処置の各項目を主処置の項目として表示してデータ入力するようにしもよい。
【００８６】
また、上記の実施形態では、カテ室で行われた医療行為のデータと、使用された薬剤及び医療材料のデータの両方のデータ記録するようにしたが、本発明はこれに限定されるものではなく、どちらか一方のデータを記録するようにしてもよい。
【００８７】
また、本発明は、上述した実施形態の候補項目の名称や数に限定されるものでもない。
【産業上の利用可能性】
【００８８】
以上説明したように、本発明によれば、画面にツリー形式で順次、表示される候補項目をタッチするだけで、カテ室内で実施された医療行為のデータを容易且つ正確に記録し、且つ取得した医療行為のデータを画面に直ちに表示させて確認することができる。したがって、病院等のカテ室で行なわれる検査や治療のデータの記録に適用することができる。
【図面の簡単な説明】
【００８９】
【図１】本発明の１実施形態であるカテ室管理システムの概略構成図である。
【図２】本実施形態のカテ室管理システムの概略機能ブロック図である。
【図３】データ入力部の機能ブロック図である。
【図４】本システムのアプリケーションの立ち上げ時に第１表示装置に表示される予定表であるカテ記録一覧を示す図である。
【図５】患者確認の画面を示す図である。
【図６】カテ室状況の画面を示す図である。
【図７】検査・治療記録の画面を示す図である。
【図８】使用医療材料一覧の画面を示す図である。
【図９】使用薬剤一覧の画面を示す図である。
【図１０】データ入力用初期画面を示す図である。
【図１１】（ａ）〜（ｆ）は準備の下位の候補項目のウインドを示す図である。
【図１２】検査の下位の候補項目のウインドを示す図である。
【図１３】（ａ）、（ｂ）は治療の下位の候補項目のウインドを示す図である。
【図１４】後処置の下位の候補項目のウインドを示す図である。
【図１５】（ａ）、（ｂ）は症状の下位の候補項目のウインドを示す図である。
【図１６】緊急セットの下位の候補項目のウインドを示す図である。
【図１７】（ａ）〜（ｉ）は検査用所見の下位の候補項目のウインドを示す図である。
【図１８】（ａ）〜（ｈ）は治療用所見の下位の候補項目のウインドを示す図である。
【図１９】血圧に関するデータをタッチ入力するウインドを示す図である。
【図２０】心電図の測定結果をタッチ入力するウインドを表示する図である。
【図２１】準備の項目に含まれる候補項目のデータを表形式で表示する画面を示す図である。
【図２２】使用予定医療材料一覧の画面を示す図である。
【符号の説明】
【００９０】
１：コンピュータ本体、  ２：第１表示装置、  ３：第２表示装置、  ４：バーコードリーダ、  ５：無線式バーコードリーダ、  ６：記憶部、  １０：入退出処理部、  １０１：処置予定管理機能、  １０２：患者基本データ取込機能、  １０３：患者データ表示機能、  １０４：入室チェック機能、  １０５：後処理表示機能、  １０６：全取得データ修正機能、  ２０：データ入力部、  ２０１：主候補データ表示機能 、  ２０２：主医療行為データ取得機能、  ２０３：第１使用データ取得機能、  ２０４：副候補データ表示機能、  ２０５：副医療行為データ取得機能、  ２０６：測定項目表示機能、  ２０７：測定データ入力表示機能、  ２０８：測定データ取得機能、  ２０９：使用データ入力表示機能、  ２１０：第２使用データ取得機能、  ３０：データ表示部、  ３０１：結果データ表示機能、  ３０２：結果データ修正機能、  ３０３：使用データ表示機能、  ３０４：使用データ修正機能、  ４０：記録文言編集部、  ４０１：表形式データ表示機能、  ４０２：記録文言編集・登録機能、  ４０３：木構造データ生成機能
【図１】
2005115495.tif 000003
【図２】
2005115495.tif 000004
【図３】
2005115495.tif 000005
【図４】
2005115495.tif 000006
【図５】
2005115495.tif 000007
【図６】
2005115495.tif 000008
【図７】
2005115495.tif 000009
【図８】
2005115495.tif 000010
【図９】
2005115495.tif 000011
【図１０】
2005115495.tif 000012
【図１１】
2005115495.tif 000013
【図１２】
2005115495.tif 000014
【図１３】
2005115495.tif 000015
【図１４】
2005115495.tif 000016
【図１５】
2005115495.tif 000017
【図１６】
2005115495.tif 000018
【図１７】
2005115495.tif 000019
【図１８】
2005115495.tif 000020
【図１９】
2005115495.tif 000021
【図２０】
2005115495.tif 000022
【図２１】
2005115495.tif 000023
【図２２】
2005115495.tif 000024